(57)【要約】【課題】ガスチューブの位置を簡単に調整できる人工呼吸器用チューブ支持具を提供する。【解決手段】人工呼吸器が備えるガスチューブを支持するためのものであって、前記ガスチューブを支持する支持部材と、複数のアーム要素と、隣り合う前記複数のアーム要素を回動可能に接続する接続機構とを備え、前記接続機構が、前記複数のアーム要素の回動を制限するロック状態と、前記複数のアーム要素が回動自在となるロック解除状態とを切り替える押しボタンを備える人工呼吸器用チューブ支持具である。【選択図】図１
0003233338.tif 000002
【実用新案登録請求の範囲】
【請求項１】
人工呼吸器が備えるガスチューブを支持するためのものであって、
前記ガスチューブを支持する支持部材と、
複数のアーム要素と、
隣り合う前記複数のアーム要素を回動可能に接続する接続機構とを備え、
前記接続機構が、前記複数のアーム要素の回動を制限するロック状態と、前記複数のアーム要素が回動自在となるロック解除状態とを切り替える押しボタンを備える人工呼吸器用チューブ支持具。
【請求項２】
前記押しボタンを手指で押し込むことにより前記ロック状態から前記ロック解除状態に切り替わり、前記押しボタンから手指を離すことにより前記ロック解除状態から前記ロック状態に戻るように構成された請求項１に記載の人工呼吸器用チューブ支持具。
【請求項３】
前記接続機構が、隣り合う前記複数のアーム要素を段階的に前記ロック状態にするように構成されている請求項１又は２に記載の人工呼吸器用チューブ支持具。
【請求項４】
前記押しボタンの押下方向が、隣り合う前記複数のアーム要素の回動面に直交する方向に設定されている請求項１〜３のいずれか一項に記載の人工呼吸器用チューブ支持具。
【請求項５】
前記押しボタンの押下軸が、隣り合う前記複数のアーム要素の回動中心を通るように構成された請求項１〜４のいずれか一項に記載の人工呼吸器用チューブ支持具。
【請求項６】
複数の前記接続機構を備え、当該複数の接続機構の全てが前記押しボタンを有している請求項１〜５のいずれか一項に記載の人工呼吸器用チューブ支持具。
【請求項７】
人工呼吸器本体と、
前記人工呼吸器本体と患者との間を接続するガスチューブと、
前記ガスチューブを支持する人工呼吸器用チューブ支持具とを備え、
前記人工呼吸器用チューブ支持具が、
前記チューブを支持する支持部材と、
複数のアーム要素と、
隣り合う前記複数のアーム要素を回動可能に接続する接続機構とを備え、
前記接続機構が、前記複数のアーム要素の回動を制限するロック状態と、前記複数のアーム要素が回動自在となるロック解除状態とを切り替える押しボタンを備えている人工呼吸器。
【考案の詳細な説明】
【技術分野】
【０００１】
本考案は、人工呼吸器のガスチューブ（回路、ホースともいう）を支持するための人工呼吸器用チューブ支持具、及びこれを備える人工呼吸器に関するものである。
【背景技術】
【０００２】
病院等の医療施設では、人工呼吸器のガスチューブを支持するのに人工呼吸器用チューブ支持具が使用されている。このような人工呼吸器用チューブ支持具として、例えば特許文献１には、隣り合うアーム要素が接続機構により回動可能に接続された多関節アーム構造をなすものであって、その関節角度を調節することによりガスチューブを任意の位置で支持できるようにしたものが記載されている。
【先行技術文献】
【特許文献】
【０００３】
【特許文献１】特開２０１９−２０５６２７号公報
【考案の概要】
【考案が解決しようとする課題】
【０００４】
上記したような多関節アーム構造をなす人工呼吸器用チューブ支持具には、通常、関節の角度の調整が制限されたロック状態と、関節の角度を自在に調整できるロック解除状態とを切り替える操作部が接続機構に設けられている。従来、このような操作部として接続機構が締付ノブを備えており、この締付ノブを捻ってネジを緩めたり締めたりすることでロック状態とロック解除状態とを切り替えるものが知られている。しかしながら、操作部として締付ノブを用いるものは、関節の角度を調整するのに、いちいちノブを捻ってネジを緩めてまた締めるという動作を行う必要があり、ガスチューブの位置を調整するのに手間がかかってしまうという問題がある。
【０００５】
本考案はこのような問題に鑑みてなされたものであり、ガスチューブの位置を簡単に調整できる人工呼吸器用チューブ支持具を提供することを目的とする。
【課題を解決するための手段】
【０００６】
すなわち本考案に係る人工呼吸器用チューブ支持具は、人工呼吸器が備えるガスチューブを支持するためのものであって、前記ガスチューブを支持する支持部材と、複数のアーム要素と、隣り合う前記複数のアーム要素を回動可能に接続する接続機構とを備え、前記接続機構が、前記複数のアーム要素の回動を制限するロック状態と、前記複数のアーム要素が回動自在となるロック解除状態とを切り替える押しボタンを備えることを特徴とする。
【０００７】
このようなものであれば、接続機構が備える押しボタンを押すという単純な操作によりロック状態とロック解除状態とを切り替えられるので、互いに隣り合うアーム要素間の関節の角度を簡単に調整でき、これによりガスチューブの位置を簡単に調整することができる。
【０００８】
人工呼吸器用チューブ支持具は、前記押しボタンを手指で押し込むことにより前記ロック状態から前記ロック解除状態に切り替わり、前記押しボタンから手指を離すことにより前記ロック解除状態から前記ロック状態に戻るように構成されているものが好ましい。
このようなものであれば、接続機構を手でしっかりと握り、押しボタンを手指で押しながらアーム要素間の関節の角度を調整できるので、ガスチューブが狙った位置に来るように調整しやすい。
【０００９】
前記接続機構の具体的態様としては、隣り合う前記複数のアーム要素を段階的に前記ロック状態にするように構成したものが挙げられる。
【００１０】
前記人工呼吸器用チューブ支持具は、前記押しボタンの押下方向が、隣り合う前記複数のアーム要素の回動面に直交する方向に設定されているのが好ましい。
このようなものであれば、押しボタンを親指で操作しやすい位置に配置できるので、ガスチューブの位置をより簡単に調整することができる。
【００１１】
また人工呼吸器用チューブ支持具の具体的構成としては、前記押しボタンの押下軸が、隣り合う前記複数のアーム要素の回動中心を通るように構成されているものが挙げられる。
【００１２】
また人工呼吸器用チューブ支持具は、複数の前記接続機構を備え、当該複数の接続機構の全てが前記押しボタンを有しているのが好ましい。
このようにすれば、各接続機構におけるアーム要素間の関節角度を簡単に調整することができるので、ガスチューブの位置をさらに簡単に調整できる。
【００１３】
また本考案の人工呼吸器は、人工呼吸器本体と、前記人工呼吸器本体と患者との間を接続するガスチューブと、前記ガスチューブを支持する人工呼吸器用チューブ支持具とを備え、前記人工呼吸器用チューブ支持具が、前記チューブを支持する支持部材と、複数のアーム要素と、隣り合う前記複数のアーム要素を回動可能に接続する接続機構とを備え、前記接続機構が、前記複数のアーム要素の回動を制限するロック状態と、前記複数のアーム要素が回動自在となるロック解除状態とを切り替える押しボタンを備えていることを特徴とする。
このような人工呼吸器であれば、前記した本考案の人工呼吸器用チューブ支持具と同様の作用効果を奏することができる。
【考案の効果】
【００１４】
このようにした本考案によれば、ガスチューブの位置を簡単に調整できる人工呼吸器用チューブ支持具を提供することができる。
【図面の簡単な説明】
【００１５】
【図１】本実施形態の人工呼吸器用チューブ支持具を用いた人工呼吸器の全体構成を示す概略図。
【図２】同実施形態の人工呼吸器用チューブ支持具の構成を示す概略図。
【図３】同実施形態の人工呼吸器用チューブ支持具の動きを説明する図。
【図４】同実施形態の人工呼吸器用チューブ支持具のロック状態とロック解除状態とを説明する図。
【考案を実施するための形態】
【００１６】
以下に、本考案の一実施形態に係る人工呼吸器用チューブ支持具１００について図面を参照して説明する。
【００１７】
本実施形態に係る人工呼吸器用チューブ支持具１００は、人工呼吸器２００が備える人工呼吸器本体２１０と患者との間を接続するガスチューブ２２０を支持するためのものである。この人工呼吸器用チューブ支持具１００は、多関節アーム構造をなすものであり、人工呼吸器本体２１０に接続される接続部１３がその基端部に設けられ、ガスチューブ２２０を支持するための支持部３１がその先端部に設けられている。図１に示すように、人工呼吸器用チューブ支持具１００は、接続部１３が人工呼吸器本体２１０に接続され、各関節の角度が調整されることにより、ガスチューブ２２０を任意の位置で保持することができる。
【００１８】
具体的にこの人工呼吸器用チューブ支持具１００は、図２に示すように、複数のアーム要素１と、隣り合う複数のアーム要素１を回動可能に接続する接続機構２と、ガスチューブを支持する支持部材３とを備えている。
【００１９】
本実施形態の人工呼吸器用チューブ支持具１００は、アーム要素１として、ベースアーム要素１ａと中間アーム要素１ｂと先端アーム要素１ｃとを備え、接続機構２として第１接続機構２ａと第２接続機構２ｂとを備えている。これらのアーム要素１ａ、１ｂ、１ｃは、基端側から順に互いに直列に連結されている。ベースアーム要素１ａと中間アーム要素１ｂとは、第１接続機構２ａを介して互いに回動可能に連結されており、中間アーム要素１ｂと先端アーム要素１ｃとは、第２接続機構２ｂを介して互いに回動可能に連結されている。
【００２０】
ベースアーム要素１ａは、棒状を成す例えば金属製のものである。ベースアーム要素１ａの一方の端部（基端側端部）には人工呼吸器本体２１０に接続するための接続部１３が設けられており、他方の端部（先端側端部）は、第１接続機構２ａに連結されている。このベースアーム要素１ａは、接続部１３が人工呼吸器本体２１０に接続された状態で、その軸周りに回転できるように構成されている。接続部１３の形状や構造は特に限定されず、例えば人工呼吸器本体２１０に設けられているメス型コネクタに嵌まり込むように構成されたオス型コネクタ等が挙げられる。
【００２１】
中間アーム要素１ｂは、棒状を成す例えば金属製のものである。中間アーム要素１ｂは、その一方の端部（基端側端部）が第１接続機構２ａに連結され、他方の端部（先端側端部）が第２接続機構２ｂに連結されている。
【００２２】
先端アーム要素１ｃは、棒状を成すものであり、その一方の端部（基端側端部）が第２接続機構２ｂに連結され、他方の端部（先端側端部）には、支持部材３が連結される連結部１４が設けられている。この連結部１４は、例えばユニバーサルジョイントやボールジョイント等の、１自由度又は複数自由度を持つジョイント部材により構成されている。またこの先端アーム要素１ｃは、その一部がフレキシブルアーム１１１により構成されている。本実施形態では、先端アーム要素１ｃは、連結部１４が設けられる先端側の一部がフレキシブルアーム１１１により構成されており、任意の角度で折り曲げることができる。
【００２３】
そして先端アーム要素１ｃの先端には、連結部１４を介して支持部材３が取り付けられている。この支持部材３は、その一方の端部（基端側端部）が先端アーム要素１ｃの連結部１４に連結され、他方の端部（先端側端部）にガスチューブ２２０を支持するための支持部３１が設けられている。この支持部３１は、ガスチューブ２２０が引っ掛けられるように構成されたフック状をなすものである。ここでは支持部材３は、複数本のガスチューブ２２０を支持できるよう複数の支持部３１を備えている。
【００２４】
各接続機構２は、例えばヒンジ等の１自由度を持つジョイント部材により構成されている。この接続機構２は、接続されたアーム要素１の回動を制限するロック状態と、接続されたアーム要素１が回動自在となるロック解除状態とを取り得るように構成されている。接続機構２は、ロック状態とロック解除状態とを切り替える操作部２１を備えている。ユーザが当該操作部２１を手で操作することにより、接続機構２のロック状態とロック解除状態とが切り替わるようにされている。
【００２５】
各接続機構２は、隣り合う複数のアーム要素１を段階的にロック状態にできるように構成されている。すなわち、各接続機構２は、隣り合う複数のアーム要素１がなす関節角度を複数段階で固定（例えば、１０°毎）できるように構成されている。
【００２６】
このように構成された人工呼吸器用チューブ支持具１００は、ベースアーム要素１ａと中間アーム要素１ｂと先端アーム要素１ｃが各接続機構２を介して回動することで、図３に示すように、支持部材３が二次元の動作平面内で動作できるように構成されている。
【００２７】
しかして本実施形態の人工呼吸器用チューブ支持具１００では、各接続機構２がいずれも操作部２１として押しボタンを備えており、この押しボタン２１を手指（例えば親指）で操作することにより、各接続機構２のロック状態とロック解除状態とを切り替えられるように構成されている。
【００２８】
この押しボタン２１は、その押下方向が、接続機構２に接続された隣り合うアーム要素１の回動面に直行する方向に設定され、その押下軸が隣り合うアーム要素１の回動中心を通るように構成されている。押しボタン２１は、図示しない圧縮コイルバネ等によって押下方向に沿って付勢されており、手指で押し込んだ後に手指を離すと、元の位置に自動的に戻るように構成されている。
【００２９】
そしてこの人工呼吸器用チューブ支持具１００は、図４に示すように、押しボタン２１を手指等で押し込むことにより接続機構２がロック状態からロック解除状態に切り替わり、押しボタン２１から手指を離すことにより押しボタン２１が元の位置に戻り、接続機構２がロック解除状態からロック状態に戻るように構成されている。本実施形態では、押しボタン２１を押し込んでいる間のみ接続機構２がロック解除状態となるように構成されている。
【００３０】
このように構成された本実施形態の人工呼吸器用チューブ支持具１００によれば、接続機構２が備える押しボタン２１を押すという単純な操作によりロック状態とロック解除状態とを切り替えられるので、互いに隣り合うアーム要素１間の関節の角度を簡単に調整でき、これによりガスチューブ２２０の位置を簡単に調整できる。
【００３１】
なお、本考案は前記実施形態に限られるものではない。
【００３２】
例えば前記実施形態では、各接続機構２の全てが操作部２１として押しボタンを備えていたが、これに限らない。複数の接続機構２の一部は、操作部２１として押しボタンを備えておらず、締め付けノブを備えていてもよい。
【００３３】
また前記実施形態では、押しボタン２１を押し込んでいる間のみ接続機構がロック解除となっていたが、これに限らない。他の実施形態では、押しボタン２１を一度押して離すことにより接続機構２がロック状態からロック解除状態に切り替わり、押しボタン２１を再度押して離すことにより接続機構２がロック解除状態からロック状態に切り替わるように構成されてもよい。
【００３４】
また前記実施形態の人工呼吸器用チューブ支持具１００には２つの接続機構２が設けられていたが、これに限らない。他の実施形態の人工呼吸器用チューブ支持具１００には、接続機構２が１つのみ設けられてもよいし、３つ以上設けられていてもよい。
【００３５】
また人工呼吸器用チューブ支持具１００が備える複数のアーム要素１ａ、１ｂ、１ｃは、互いに同一の平面内で回動するようにしていたが、これに限らない。他の実施形態では、各アーム要素１ａ、１ｂ、１ｃが互いに異なる平面内で回動するように構成されていてもよい。
【００３６】
その他、本考案は前記実施形態に限られず、その趣旨を逸脱しない範囲で種々の変形が可能であるのは言うまでもない。
【符号の説明】
【００３７】
２００・・・人工呼吸器
２２０・・・チューブ
１００・・・人工呼吸器用チューブ支持具
１    ・・・アーム要素
２    ・・・接続機構
２１  ・・・操作部（押しボタン）
３    ・・・支持部材
【図１】
0003233338.tif 000003
【図２】
0003233338.tif 000004
【図３】
0003233338.tif 000005
【図４】
0003233338.tif 000006